(57)【特許請求の範囲】
【請求項１】
小型電気機器を衣服に取り付けるためのクリップであって、
表面と裏面を有するケースと、
前記ケースの裏面に配設された支持部に基端部が開閉可能に支持される挟み部材と、
前記挟み部材の支持端と反対の開閉端を前記ケースの裏面に押し付ける方向に付勢する付勢手段と
を備え、
前記挟み部材は、前記ケースの裏面に沿い該挟み部材の支持端から開閉端に向け延在する第１挟持部と、前記第１挟持部の延在方向と直角方向の一側端に横方向に延出するように連設され前記ケースの裏面に沿い該一側端から離間する方向に平板状に延在する前記第１挟持部より幅広に構成された第２挟持部とを有し、
前記第１挟持部の開閉端内面には衣服生地挟持用の第１凹凸列を所定の間隔で複数形成し、
前記第１挟持部より幅広に構成された前記第２挟持部の開閉端内面には衣服生地挟持用の第２凹凸列を所定の間隔で複数形成し、
前記第１及び第２凹凸列と対向する前記ケースの裏面に、該第１及び第２凹凸列と係合する衣服生地挟持用の突条を前記第１及び第２凹凸列と交叉する方向に所定の間隔で複数形成し、
上記挟み部材が開閉操作されることにより上記挟み部材の開閉端と上記ケースの裏面間に上記衣服生地を挟む際に、上記挟み部材の上記第１挟持部の上記第１凹凸列を当該第１凹凸列と交叉する方向に上記ケースの裏面に形成された上記突条に上記衣服生地を介して係合させると共に、上記挟み部材の前記第１挟持部より幅広に構成された上記第２挟持部の上記第２凹凸部を当該第２凹凸部と交叉する方向に上記ケースの裏面に形成された上記突条に上記第１の挟持部の外側位置において上記衣服生地を介して係合させることにより、上記小型電気機器を上記衣服に取り付ける
ことを特徴とするクリップ。
【請求項２】
前記第１、第２凹凸列は前記挟み部材の支持端側から開閉端方向に延在して形成され、前記突条は前記第１及び第２凹凸列と直交する方向に延在して形成されている
ことを特徴とする請求項１に記載のクリップ。
【請求項３】
前記第１及び第２凹凸列を構成する凸部の高さは、前記挟み部材の支持端側から開閉端側に行くに従い低くなるように形成されている
ことを特徴とする請求項１または２に記載のクリップ。
【請求項４】
前記第１凹凸列の延在方向を前記突条の延在方向と平行に、前記第２凹凸列の延在方向を前記突条の延在方向と直角に配置されている
ことを特徴とする請求項１に記載のクリップ。
【請求項５】
前記第１凹凸列を構成する凸部の高さは、第２凹凸列を構成する凸部の高さより高くした
ことを特徴とする請求項１に記載のクリップ。
【請求項６】
前記第１凹凸列は互いに平行に延在している
ことを特徴とする請求項１に記載のクリップ。
【請求項７】
前記第２凹凸列は互いに平行に延在している
ことを特徴とする請求項１に記載のクリップ。
【請求項８】
前記小型電気機器はリモートコントローラである
ことを特徴とする請求項１に記載のクリップ。
【発明の詳細な説明】
【０００１】
【発明の属する技術分野】
本発明は、携帯用コンパクトディスクプレヤーに用いられるリモートコントローラ等の小型電気機器を衣服に取り付ける時に使用されるクリップに関するものである。
【０００２】
【従来の技術】
携帯用コンパクトディスクプレヤー等に使用されるイヤホーンやヘッドホーンのリード線の途中に設けたリモートコントローラを衣服のポケットや襟等に取り付ける手段としてクリップがある。
従来、このようなクリップは、図１２に示すように、開閉端の内側に三角波状のローレット５１１を形成した鰐口タイプの挟み部材５１の基端部を、リモートコントローラ本体５２の裏面に突設した支持部５３にピン５４により開閉可能に取り付け、更に挟み部材５１のローレット５１１と対向するリモートコントローラ本体５２の裏面箇所にはローレット５１１の谷部分と係合する凹凸列５２１を挟み部材５１の長手方向に複数列形成し、この挟み部材５１のローレット５１１と凹凸列５２１により衣服の生地を挟持することで、リモートコントローラ本体５２を衣服のポケットまたは襟等に固定できるようになっている。
【０００３】
【発明が解決しようとする課題】
ところで、上記のように構成された従来のクリップでは、挟み部材５１がその長手方向をリモートコントローラ本体５２の長手方向に一致させて配置される構造になっているため、リモートコントローラ本体５２を利用者の衣服５３の胸ポケット５５に取り付けた場合、図１３に示すように、リモートコントローラ本体５２に設けた液晶表示部５２２に表示される再生（ＰＬＡＹ）、早送り（ＦＦ）、巻き戻し（ＲＥＷ）等の表示文字が上下を向くように、かつリモートコントローラ本体５２の側壁に設けたボリューム５２３及びファンクションスイッチ５２４が真横を向くように、リモートコントローラ本体５２自体を操作し易い、または使い勝手のよい姿勢に保持できる。
しかし、図１４に示すように、リモートコントローラ本体５２を利用者の衣服５３の襟部分５６に取り付けた場合は、リモートコントローラ本体５２自体の姿勢が斜めになってしまうため、液晶表示部５２２の向き及びボリューム５２３、ファンクションスイッチ５２４の向きが変化し、リモートコントローラ本体５２自体が操作のしにくい、または使い勝手の悪い姿勢になってしまうという問題があった。
本発明は、上記の問題を解決したものであり、リモートコントローラ等の小型電気機器を衣服への取付け場所に左右されることなく、常に操作のし易い、かつ使い勝手のよい姿勢に取り付けることができるクリップを提供することを目的とする。
【０００４】
【課題を解決するための手段】
かかる課題を解決するため本発明においては、小型電気機器を衣服に取り付けるためのクリップであって、表面と裏面を有するケースと、ケースの裏面に配設された支持部に基端部が開閉可能に支持される挟み部材と、挟み部材の支持端と反対の開閉端をケースの裏面に押し付ける方向に付勢する付勢手段とを備え、挟み部材は、ケースの裏面に沿い該挟み部材の支持端から開閉端に向け延在する第１挟持部と、第１挟持部の延在方向と直角方向の一側端に横方向に延出するように連設されケースの裏面に沿い該一側端から離間する方向に平板状に延在する第１挟持部より幅広に構成された第２挟持部とを有し、第１挟持部の開閉端内面には衣服生地挟持用の第１凹凸列を所定の間隔で複数形成し、第１挟持部より幅広に構成された第２挟持部の開閉端内面には衣服生地挟持用の第２凹凸列を所定の間隔で複数形成し、第１及び第２凹凸列と対向するケースの裏面に、該第１及び第２凹凸列と係合する衣服生地挟持用の突条を第１及び第２凹凸列と交叉する方向に所定の間隔で複数形成し、挟み部材が開閉操作されることにより挟み部材の開閉端とケースの裏面間に衣服を挟む際に、挟み部材の第１挟持部の第１凹凸列を当該第１凹凸列と交叉する方向にケースの裏面に形成された突条に衣服を介して係合させると共に、挟み部材の第１挟持部より幅広に構成された第２挟持部の第２凹凸部を当該第２凹凸部と交叉する方向にケースの裏面に形成された突条に第１の挟持部の外側位置において衣服を介して係合させることにより、小型電気機器を、しっかりと、衣服に取り付ける。
【０００５】
本発明のクリップにおける挟み部材は、第１挟持部及び該第１挟持部から横方向に延出にさせた第２挟持部を有しているので、衣服の胸襟のようにクリップを斜め方向または横方向から差し込んで衣服の一部を挟持する場合でも、第２挟持部を利用して衣服を挟持することにより、コンパクトディスクプレヤー用リモートコントローラ等の小型電気機器を衣服の胸ポケット等に取付ける場合と同様に衣服への取り付け場所に左右されることなく常に操作のし易い、かつ使い勝手のよい一定の姿勢に取り付けることができる。
【０００６】
【発明の実施の形態】
以下、本発明のクリップの実施の形態について、図面を参照して説明する。
図１は本発明のクリップを携帯用コンパクトディスクプレヤー等のイヤホーンやヘッドホーンのリード線の途中に設けられるリモートコントローラに適用した場合の挟み部材をリモートコントローラ本体から分離しリモートコントローラ本体の裏面と挟み部材の裏面を示す分解図、図２は図１に示す挟み部材の左側面図、図３は図１に示す挟み部材の右側面図、図４は挟み部材をリモートコントローラケース本体に組み付けた状態の側面図、図５は図１のＡ−Ａ線に沿う拡大断面図、図６は図１のＢ−Ｂ線に沿う拡大断面図、図７は本発明のクリップを備えた携帯用コンパクトディスクプレヤー等に使用されるリモートコントローラの正面図である。
【０００７】
図１において、１０はリモートコントローラ１１を構成するケース本体であり、このケース本体１０の裏面には、リモートコントローラ１１を利用者の衣服の胸ポケットまたは襟部等に取り付けるための挟み部材２０が開閉可能に取り付けられている。
【０００８】
挟み部材２０は、ケース本体１０の裏面に沿い該挟み部材２０の支持端２０Ａから開閉端２０Ｂに向け延在する第１挟持部２０１と、この第１挟持部２０１の延在方向と直角方向の一側端に連設されケース本体１０の裏面に沿い該一側端から離間する方向に略半円形の平板状に延在する第２挟持部２０２を有し、支持端２０Ａの内面には、第１挟持部２０１の延在方向と直角な方向に所定の間隔を離して一対の支持部２０３が突設されており、この各支持部２０３の先端部には外側へ突出する軸ピン２０４が軸線を一致させて突設されている。
さらに、支持端２０Ａには、軸ピン２０４の軸線を線対称にして第１挟持部２０１の延在方向と反対の方向に延在する開閉操作部２０５が形成されている。
【０００９】
また、第１挟持部２０１の開閉端内面には、図１及び図２に示すように、第１挟持部２０１の延在方向に伸びる衣服生地挟持用の第１凹凸列２０６が第１挟持部２０１の延在方向と直角な方向に所定の間隔で複数（２列）形成されており、さらに、第２挟持部２０２の開閉端内面には、図１及び図３に示すように、第１凹凸列２０６と平行な衣服生地挟持用の第２凹凸列２０７が第２挟持部２０２の延出方向に所定の間隔で複数（４列）形成されている。
また、第１及び第２凹凸列２０６、２０７を構成する凸部２０６Ａ、２０７Ａの高さは、図２及び図３に示すように、挟み部材２０の支持端２０Ａ側から開閉端２０Ｂ側に行くに従い低くなるように形成されている。
【００１０】
第１及び第２凹凸列２０６、２０７と対向するケース本体１０の裏面には、図１に示すように、第１及び第２凹凸列２０６、２０７が係合する衣服生地挟持用の突条１０１が第１及び第２凹凸列２０６、２０７と直交する方向に所定の間隔で複数（３列）形成されている。また、突条１０１が第２凹凸列と係合する領域の上面には、図１及び図５に示すように、所定のピッチで凸部１０１Ａが形成されている。
さらに、挟み部材２０の支持端２０Ａと対向するケース本体１０の裏面には、図１に示すように、挟み部材２０の両支持部２０３の外側面間隔とほぼ同一の間隔離して一対の支持部１０２が平行に突設されており、この両支持部１０２の点端部には、図６に示すように、挟み部材２０の軸ピン２０４が回転可能に係合する軸孔１０３が穿設されている。
図１及び図４において、３０は軸ピン２０４が軸孔１０３に係合されることにより、挟み部材２０がケース本体１０に開閉可能に支持された状態において、開閉操作部２０５とケース本体１０間に介在されたばね部材（付勢手段）であり、このばね部材３０は挟み部材２０の開閉端を開方向に付勢する。
【００１１】
図７において、１２はリモートコントローラ１１を構成するケース本体１０の表面に設けた液晶表示部であり、この液晶表示部１２には再生（ＰＬＡＹ）、早送り（ＦＦ）、巻き戻し（ＲＥＷ）等の表示文字が表示できるように構成されている。
また、ケース本体１０の側壁部には、ボリューム１３及びファンクションスイッチ１４が設けられている。
さらに、ケース本体１０には、ケース本体１０内に装着した図示省略の内部回路に接続される信号線１５の一端が固定され、この信号線１５の他端にはイヤホーン１６が接続されている。
また、ケース本体１０には、ケース本体１０内に装着した図示省略の内部回路に接続される信号線１７の一端が固定され、この信号線１７の他端には、図示省略の携帯用コンパクトディスクプレヤーに挿着されるプラグ１８が接続されている。
【００１２】
上記のように構成されたクリップを使用してリモートコントローラ１１を利用者の衣服に取り付ける場合、例えば衣服の胸ポケットに取り付ける場合は、開閉操作部２０５を図４の矢印方向に押圧することにより、挟み部材２０をばね部材３０に抗して開いた状態に保持する。
この状態で、挟み部材２０を図８に示す胸ポケット５０内に差し込み、開閉操作部２０５への押圧力を解除する。すると、第１挟持部２０１の第１凹凸列２０６及び第２挟持部２０２の第２凹凸列２０７と、ケース本体１０側の突条１０１とで胸ポケット５０の生地を表裏面から挟持する。
これにより、図８に示すように、液晶表示部１２に表示される再生（ＰＬＡＹ）、早送り（ＦＦ）、巻き戻し（ＲＥＷ）等の表示文字が上下を向くように、かつボリューム１３及びファンクションスイッチ１４がケース本体１０の真横に位置するように、リモートコントローラ１１自体を操作し易い、かつ使い勝手のよい姿勢に保持することができる。
【００１３】
また、リモートコントローラ１１を利用者の衣服の胸襟に取り付ける場合は、開閉操作部２０５を図４の矢印方向に押圧して挟み部材２０をばね部材３０に抗し開いた状態に保持する。
この状態で、挟み部材２０の第２挟持部２０２を衣服の胸襟５１の裏側に横方向から差し込み、この第２挟持部２０２の第２凹凸列２０７と、この第２凹凸列２０７に対向するケース本体１０側の突条１０１とで図９に示す胸襟５１を表裏面から挟持する。
これにより、図９に示すように、衣服の胸ポケット５０に取付ける場合と同様に、液晶表示部１２に表示される再生（ＰＬＡＹ）、早送り（ＦＦ）、巻き戻し（ＲＥＷ）等の表示文字が上下を向くように、かつボリューム１３及びファンクションスイッチ１４がケース本体１０の真横に位置するように、衣服への取り付け場所に左右されることなく、リモートコントローラ１１自体を操作し易い、かつ使い勝手のよい一定の姿勢に取り付けることができる。
この場合、第２凹凸列２０７とケース本体１０側の突条１０１は直交し、かつ第２凹凸列２０７に対向するケース本体１０側の突条１０１には所定ビッチの凸部１０１Ａが形成されているので、胸襟の挟持が安定し、みだりに位置ずれしたり、脱落することがない。
【００１４】
図１０は、本発明のクリップにおける挟み部材２０の他の実施の形態を示す裏面図である。
この実施の形態においては、第１挟持部２０１の凹凸列及び第２挟持部２０２の凹凸列を、挟み部材２０の支持端２０Ａから開閉端２Ｂに向けて延在する方向に対して交叉する方向に延在する構成にした。
具体的には、図１０に示すように、第２挟持部２０２の下端隅部２０２Ａから挟み部材２０の支持端２０Ａに伸びる方向と直角な方向に延在する第１及び第２凹凸列兼用の凹凸列１００を下端隅部２０２Ａから支持端２０Ａの方向に所定の間隔で斜めに形成したものである。
【００１５】
このように第１及び第２凹凸列兼用の凹凸列１００を第１挟持部２０１と第２挟持部２０２の両方の領域に亘って斜めに形成することにより、胸ポケットまたは胸襟に取り付ける時、第１及び第２凹凸列兼用の凹凸列１００を胸ポケット及び胸襟の両方の挟持に機能させることができる。
【００１６】
図１１は、本発明のクリップにおける挟み部材２０の更に他の実施の形態を示す裏面図である。
この実施の形態においては、第１挟持部２０１の第１凹凸列２０６の延在方向をケース本体１０側の突条１０１の延在方向と平行に配置し、第２挟持部２０２の第２凹凸列２０７の延在方向をケース本体１０側の突条１０１の延在方向と直角に配置し、更に、第１凹凸列２０６を構成する凸部の高さを、第２凹凸列２０７を構成する凸部の高さより高くしたものである。
【００１７】
この実施の形態によれば、リモートコントローラ１１を胸ポケットに取り付ける時、第１凹凸列２０６と突条１０１で胸ポケットの布地を第２凹凸列２０７に影響されることなく確実に挟持することができ、また、リモートコントローラ１１をスーツ等の生地の厚い胸襟に取り付ける時、第２凹凸列２０７と突条１０１で胸襟の布地を第１凹凸列２０６に影響されることなく確実に挟持することができる。
【００１８】
なお、上記の実施の形態では、リモートコントローラ１１を胸ポケットまたは胸襟に取り付ける場合について説明したが、本発明はこれに限定されず、上記以外の部分の衣服にも取り付け得ることは勿論である。
本発明のクリップは、コンパクトディスクプレヤー用リモートコントローラ１１の取り付けに限らず、補聴器やペンライト、その他の小型電気機器にも同様に利用できる。
【００１９】
【発明の効果】
以上説明したように本発明によれば、クリップを構成する挟み部材を第１挟持部及び該第１挟持部から横方向に延出にさせた第２挟持部から構成し、この第１及び第２挟持部の開閉端内面に衣服生地挟持用の凹凸列を形成し、更にケースの裏面には第１及び第２凹凸列が係合する衣服生地挟持用の突条を形成する構成にしたので、リモートコントローラ等の小型電気機器を衣服への取り付け場所に左右されることなく、常に操作のし易い、かつ使い勝手のよい一定の姿勢に取り付けることができる。
【図面の簡単な説明】
【図１】本発明のクリップを携帯用コンパクトディスクプレヤー等のイヤホーンやヘッドホーンのリード線の途中に設けられるリモートコントローラに適用した場合の挟み部材をリモートコントローラ本体から分離しリモートコントローラ本体の裏面と挟み部材の裏面を示す分解図である。
【図２】図１に示す挟み部材の左側面図である。
【図３】図１に示す挟み部材の右側面図である。
【図４】本発明の実施の形態における挟み部材をケース本体に組み付けた状態の側面図である。
【図５】図１のＡ−Ａ線に沿う拡大断面図である。
【図６】図１のＢ−Ｂ線に沿う拡大断面図である。
【図７】本発明のクリップを備えたコンパクトディスクプレヤー用リモートコントローラの正面図である。
【図８】本発明のクリップを備えたリモートコントローラを衣服の胸ポケットに取り付けた場合の説明図である。
【図９】本発明のクリップを備えたリモートコントローラを衣服の胸襟に取り付けた場合の説明図である。
【図１０】本発明のクリップにおける挟み部材の他の実施の形態を示す裏面図である。
【図１１】本発明のクリップにおける挟み部材の更に他の実施の形態を示す裏面図である。
【図１２】従来のクリップを備えたリモートコントローラの側面図である。
【図１３】従来のクリップを備えたリモートコントローラを衣服の胸ポケットに取り付けた場合の説明図である。
【図１４】従来のクリップを備えたリモートコントローラを衣服の胸襟に取り付けた場合の説明図である。
【符号の説明】
１０……ケース本体、１１……リモートコントローラ、２０……挟み部材、２０Ａ……支持端、２０Ｂ……開閉端、１０１……突条、１０１Ａ……凸部、１０２……支持部、２０１……第１挟持部、２０２……第２挟持部、２０６……第１凹凸列、２０７……第２凹凸列。
【図１】
0004088844.tif 000002
【図２】
0004088844.tif 000003
【図３】
0004088844.tif 000004
【図４】
0004088844.tif 000005
【図５】
0004088844.tif 000006
【図６】
0004088844.tif 000007
【図７】
0004088844.tif 000008
【図８】
0004088844.tif 000009
【図９】
0004088844.tif 000010
【図１０】
0004088844.tif 000011
【図１１】
0004088844.tif 000012
【図１２】
0004088844.tif 000013
【図１３】
0004088844.tif 000014
【図１４】
0004088844.tif 000015